(57)【要約】【課題】災害発生時において、呼制御サーバへのアクセス増加による輻輳発生を抑制した上で、ＩＰ電話端末間の通話を可能にする。【解決手段】ＩＰ電話端末と接続されるネットワーク装置としての宅内装置（ＨＧＷ）１０は、ＩＰ電話端末の電話番号に対応する宅内装置（ＨＧＷ）１０のＮＷアドレスを格納する災害用ルーティング情報１６０を記憶する記憶部１４０と、通常時において発呼信号の呼接続を実行する呼接続制御部１２１と、災害発生時において発呼信号の呼接続を実行する災害時呼処理部１３０と、災害発生情報を受信することにより、発呼信号の呼接続を呼接続制御部１２１から災害時呼処理部１３０へ切り換える処理切替部１２４とを備える。災害発生により処理切替部１２４により切り替えられた災害時呼処理部１３０は、災害用ルーティング情報１６０を参照してＮＷアドレスを取得し、他の宅内装置（ＨＧＷ）１０との間で呼接続を行う。【選択図】図３
2013219573.tif 000002
【特許請求の範囲】
【請求項１】
ＩＰ電話端末に接続されるネットワーク装置と、複数の前記ネットワーク装置を収容し、通常時の呼接続処理を行う呼制御サーバとを備える通信制御システムであって、
前記ネットワーク装置は、
前記ＩＰ電話端末の電話番号に対応する前記ネットワーク装置のネットワークアドレスを格納する災害用ルーティング情報を記憶する記憶部と、
災害発生を示す災害発生情報を受信していない通常時において、前記ＩＰ電話端末からの発呼信号の呼接続を前記呼制御サーバを介して行う呼接続制御部と、
前記災害発生情報を受信した後の災害発生時において、前記災害用ルーティング情報を参照し、前記ＩＰ電話端末からの前記発呼信号に付された着信先の前記ＩＰ電話端末の電話番号に対応する前記ネットワーク装置のネットワークアドレスを取得し、前記取得したネットワークアドレスを用いて、前記着信先のＩＰ電話端末に接続される前記ネットワーク装置に前記発呼信号を送信することにより呼接続を行う災害時呼処理部と、
前記災害発生情報を受信したときに、前記発呼信号の呼接続を、前記呼接続制御部から前記災害時呼処理部に切り替える処理切替部と、
を備えること特徴とする通信制御システム。
【請求項２】
前記ネットワーク装置は、
前記呼制御サーバが前記ＩＰ電話端末を収容するエリア毎に、災害発生時において、前記ネットワーク装置自身が前記エリアの代表ノードであるか否かを示す自エリア代表フラグと、
前記災害用ルーティング情報として、前記ネットワーク装置自身が属する自エリア内の前記ＩＰ電話端末の電話番号に対応する前記ネットワーク装置のネットワークアドレスを格納する自エリア内ルーティング情報、および、前記自エリア以外の前記エリアある他エリアに属する前記ＩＰ電話端末の電話番号に対応する前記ネットワーク装置のネットワークアドレスを格納する他エリア内ルーティング情報と、を前記記憶部に記憶しており、
前記ネットワーク装置は、さらに、
前記自エリア代表フラグが、前記自エリアの前記代表ノードであることを示している場合、自身が前記代表ノードであることを示すエリア代表情報を、前記自エリア内ルーティング情報を参照し、前記自エリア内の前記ネットワーク装置に配信するエリア代表情報配信部と、
前記他エリア内ルーティング情報を参照し、前記他エリア内の前記ネットワーク装置から、前記他エリアの前記代表ノードのネットワークアドレスを取得する他エリア代表情報取得部と、を備え、
前記自エリア代表フラグが、前記自エリアの前記代表ノードであることを示していない前記ネットワーク装置の前記災害時呼処理部が、前記ＩＰ電話端末から前記発呼信号を受信したとき、
当該災害時呼処理部は、
前記自エリア内ルーティング情報を参照し、前記発呼信号に付された着信先の前記ＩＰ電話端末の電話番号が含まれる場合に、対応する前記ネットワーク装置のネットワークアドレスを取得し、当該取得したネットワークアドレスを用いて呼接続を行い、前記着信先のＩＰ電話端末の電話番号が含まれない場合に、前記代表ノードのネットワーク装置から前記他エリアの代表ノードのネットワークアドレスを取得して、前記他エリアの代表ノードに前記発呼信号を送信し、当該発呼信号に付された着信先の前記ＩＰ電話端末の電話番号に対応する前記ネットワーク装置のネットワークアドレス、または、別エリアの前記代表ノードのネットワークアドレスを取得し、
前記着信先の前記ＩＰ電話端末の電話番号に対応する前記ネットワーク装置のネットワークアドレスを取得した場合には、当該取得したネットワークアドレスを用いて呼接続を行い、
前記別エリアの前記代表ノードのネットワークアドレスを取得した場合には、当該別エリアの前記代表ノードに前記発呼信号を送信し、前記着信先の前記ＩＰ電話端末の電話番号に対応する前記ネットワーク装置のネットワークアドレスを取得するまで、前記別エリアの前記代表ノードのネットワークアドレスを取得して前記発呼信号を送信する処理を繰り返すこと
を特徴とする請求項１に記載の通信制御システム。
【請求項３】
ＩＰ電話端末に接続されるネットワーク装置と、複数の前記ネットワーク装置を収容し、通常時の呼接続処理を行う呼制御サーバとを備える通信制御システムの前記ネットワーク装置であって、
前記ＩＰ電話端末の電話番号に対応する前記ネットワーク装置のネットワークアドレスを格納する災害用ルーティング情報を記憶する記憶部と、
災害発生を示す災害発生情報を受信していない通常時において、前記ＩＰ電話端末からの発呼信号の呼接続を前記呼制御サーバを介して行う呼接続制御部と、
前記災害発生情報を受信した後の災害発生時において、前記災害用ルーティング情報を参照し、前記ＩＰ電話端末からの前記発呼信号に付された着信先の前記ＩＰ電話端末の電話番号に対応する前記ネットワーク装置のネットワークアドレスを取得し、前記取得したネットワークアドレスを用いて、前記着信先のＩＰ電話端末に接続される前記ネットワーク装置に前記発呼信号を送信することにより呼接続を行う災害時呼処理部と、
前記災害発生情報を受信したときに、前記発呼信号の呼接続を、前記呼接続制御部から前記災害時呼処理部に切り替える処理切替部と、
を備えること特徴とするネットワーク装置。
【発明の詳細な説明】
【技術分野】
【０００１】
本発明は、ＩＰ（Internet Protocol）電話網における、通信制御システムおよびネットワーク装置に関する。
【背景技術】
【０００２】
図９に示す従来のＩＰ電話網５における通信制御システム６では、各加入者サーバ３が、宅内装置（ＨＧＷ：Home Gateway）１を介してＩＰ電話端末２を収容する。そして、宅内装置（ＨＧＷ）１は、自身を収容する加入者サーバ３のＮＷ（network）アドレスを記憶するルーティングテーブル１１を備える。また、加入者サーバ３は、自身が収容する各ＩＰ電話端末２の電話番号に対応する宅内装置（ＨＧＷ）１のＮＷアドレスと、自エリア以外のＩＰ電話端末２の電話番号のルーティング先となる中継サーバ４のＮＷアドレスと、を記憶するルーティングテーブル３１を備える。ここで、「エリア」とは、ある加入者サーバ３が収容するＩＰ電話端末２が設置されている地域を意味し、例えば、同一の市内局番の地域を指す。
【０００３】
ここで、図９に示すように、エリア＃１の電話番号「Ａ」のＩＰ電話端末２から、エリア＃２の電話番号「Ｄ」のＩＰ電話端末２へ発信する場合、宅内装置（ＨＧＷ）１が、ＩＰ電話端末２から発呼信号を受信すると、ルーティングテーブル１１を参照し、加入者サーバ３（ここでは、ＮＷアドレス「Ｎ１」の加入者サーバ３）に、その発呼信号を送信する。加入者サーバ３は、ルーティングテーブル３１を参照し、着信先となる電話番号「Ｄ」が、自身が収容するエリア＃１以外の電話番号であると判定し、その発呼信号をＮＷアドレス「Ｎ３」の中継サーバ４に送信する。中継サーバ４では、着信先となる電話番号「Ｄ」を収容する、ＮＷアドレス「Ｎ２」の加入者サーバ３に、発呼信号を転送する。そして、ＮＷアドレス「Ｎ２」の加入者サーバ３が、自身が収容する電話番号「Ｄ」の宅内装置（ＨＧＷ）１に向けて発呼信号を送信することにより、電話番号「Ａ」のＩＰ電話端末２と電話番号「Ｄ」のＩＰ電話端末２との間の通話を実現する。
【０００４】
この従来のＩＰ電話網５の通信制御システム６において、地震等の大規模災害が発生した場合、被災地への安否の問い合わせやお見舞い等の電話が殺到することが想定され、ＩＰ電話網５内の複数の呼制御サーバ（加入者サーバ３や中継サーバ４等）に、許容量を超える多数のＩＰ電話端末２からの接続要求が集中し、輻輳が発生する可能性が高くなる（図１０参照）。このため、輻輳発生による通信ネットワーク全体のシステムダウンを回避するため、通信規制を実行する（特許文献１参照）。
【先行技術文献】
【特許文献】
【０００５】
【特許文献１】特開２００５−１６７７６９号公報
【発明の概要】
【発明が解決しようとする課題】
【０００６】
しかしながら、大規模災害発生時等において、ＩＰ電話網５を構成する呼制御サーバ（加入者サーバ３や中継サーバ４等）で通信規制が実行されると、ＩＰ電話端末２からの発信が拒否される可能性が高く、また、発信を繰り返し行っても接続できない状況となる。
【０００７】
このような背景に鑑みて本発明がなされたのであり、本発明は、災害発生時において、呼制御サーバへのアクセス増加による輻輳発生を抑制した上で、ＩＰ電話端末間の通話を可能にすることができる、通信制御システムおよびネットワーク装置を提供することを課題とする。
【課題を解決するための手段】
【０００８】
前記した課題を解決するため、請求項１に記載の発明は、ＩＰ電話端末に接続されるネットワーク装置と、複数の前記ネットワーク装置を収容し、通常時の呼接続処理を行う呼制御サーバとを備える通信制御システムであって、前記ネットワーク装置が、前記ＩＰ電話端末の電話番号に対応する前記ネットワーク装置のネットワークアドレスを格納する災害用ルーティング情報を記憶する記憶部と、災害発生を示す災害発生情報を受信していない通常時において、前記ＩＰ電話端末からの発呼信号の呼接続を前記呼制御サーバを介して行う呼接続制御部と、前記災害発生情報を受信した後の災害発生時において、前記災害用ルーティング情報を参照し、前記ＩＰ電話端末からの前記発呼信号に付された着信先の前記ＩＰ電話端末の電話番号に対応する前記ネットワーク装置のネットワークアドレスを取得し、前記取得したネットワークアドレスを用いて、前記着信先のＩＰ電話端末に接続される前記ネットワーク装置に前記発呼信号を送信することにより呼接続を行う災害時呼処理部と、前記災害発生情報を受信したときに、前記発呼信号の呼接続を、前記呼接続制御部から前記災害時呼処理部に切り替える処理切替部と、を備えること特徴とする通信制御システムとした。
【０００９】
また、請求項３に記載の発明は、ＩＰ電話端末に接続されるネットワーク装置と、複数の前記ネットワーク装置を収容し、通常時の呼接続処理を行う呼制御サーバとを備える通信制御システムの前記ネットワーク装置であって、前記ＩＰ電話端末の電話番号に対応する前記ネットワーク装置のネットワークアドレスを格納する災害用ルーティング情報を記憶する記憶部と、災害発生を示す災害発生情報を受信していない通常時において、前記ＩＰ電話端末からの発呼信号の呼接続を前記呼制御サーバを介して行う呼接続制御部と、前記災害発生情報を受信した後の災害発生時において、前記災害用ルーティング情報を参照し、前記ＩＰ電話端末からの前記発呼信号に付された着信先の前記ＩＰ電話端末の電話番号に対応する前記ネットワーク装置のネットワークアドレスを取得し、前記取得したネットワークアドレスを用いて、前記着信先のＩＰ電話端末に接続される前記ネットワーク装置に前記発呼信号を送信することにより呼接続を行う災害時呼処理部と、前記災害発生情報を受信したときに、前記発呼信号の呼接続を、前記呼接続制御部から前記災害時呼処理部に切り替える処理切替部と、を備えること特徴とするネットワーク装置とした。
【００１０】
このようにすることで、通信制御システムのネットワーク装置は、災害発生情報を受信した場合に、発呼信号の呼接続を、通常時に処理を行う呼接続制御部から、災害発生時に処理を行う災害時呼処理部に切り替えることができる。そして、災害時呼処理部は、災害用ルーティング情報に格納されたＩＰ電話端末の電話番号に対応するネットワーク装置のＮＷアドレスを取得して発呼信号を送信することにより、着信先のＩＰ電話端末に接続されるネットワーク装置との間で、Peer To Peerでの呼接続を行うことができる。
よって、災害発生時において、呼制御サーバへのアクセス増加による輻輳発生を抑制した上で、ＩＰ電話端末間の通話を可能にすることができる。
【００１１】
請求項２に記載の発明は、前記ネットワーク装置が、前記呼制御サーバが前記ＩＰ電話端末を収容するエリア毎に、災害発生時において、前記ネットワーク装置自身が前記エリアの代表ノードであるか否かを示す自エリア代表フラグと、前記災害用ルーティング情報として、前記ネットワーク装置自身が属する自エリア内の前記ＩＰ電話端末の電話番号に対応する前記ネットワーク装置のネットワークアドレスを格納する自エリア内ルーティング情報、および、前記自エリア以外の前記エリアある他エリアに属する前記ＩＰ電話端末の電話番号に対応する前記ネットワーク装置のネットワークアドレスを格納する他エリア内ルーティング情報と、を前記記憶部に記憶しており、前記ネットワーク装置が、さらに、前記自エリア代表フラグが、前記自エリアの前記代表ノードであることを示している場合、自身が前記代表ノードであることを示すエリア代表情報を、前記自エリア内ルーティング情報を参照し、前記自エリア内の前記ネットワーク装置に配信するエリア代表情報配信部と、前記他エリア内ルーティング情報を参照し、前記他エリア内の前記ネットワーク装置から、前記他エリアの前記代表ノードのネットワークアドレスを取得する他エリア代表情報取得部と、を備え、前記自エリア代表フラグが、前記自エリアの前記代表ノードであることを示していない前記ネットワーク装置の前記災害時呼処理部が、前記ＩＰ電話端末から前記発呼信号を受信したとき、当該災害時呼処理部が、前記自エリア内ルーティング情報を参照し、前記発呼信号に付された着信先の前記ＩＰ電話端末の電話番号が含まれる場合に、対応する前記ネットワーク装置のネットワークアドレスを取得し、当該取得したネットワークアドレスを用いて呼接続を行い、前記着信先のＩＰ電話端末の電話番号が含まれない場合に、前記代表ノードのネットワーク装置から前記他エリアの代表ノードのネットワークアドレスを取得して、前記他エリアの代表ノードに前記発呼信号を送信し、当該発呼信号に付された着信先の前記ＩＰ電話端末の電話番号に対応する前記ネットワーク装置のネットワークアドレス、または、別エリアの前記代表ノードのネットワークアドレスを取得し、前記着信先の前記ＩＰ電話端末の電話番号に対応する前記ネットワーク装置のネットワークアドレスを取得した場合には、当該取得したネットワークアドレスを用いて呼接続を行い、前記別エリアの前記代表ノードのネットワークアドレスを取得した場合には、当該別エリアの前記代表ノードに前記発呼信号を送信し、前記着信先の前記ＩＰ電話端末の電話番号に対応する前記ネットワーク装置のネットワークアドレスを取得するまで、前記別エリアの前記代表ノードのネットワークアドレスを取得して前記発呼信号を送信する処理を繰り返すことを特徴とする請求項１に記載の通信制御システムとした。
【００１２】
このように、通信制御システムのネットワーク装置は、発呼信号に付された着信先の電話番号が、自エリア内ルーティング情報に含まれる場合は、対応するネットワーク装置のＮＷアドレスを取得して呼接続を行うことができる。
また、ネットワーク装置は、発呼信号に付された着信先の電話番号が、自エリア内ルーティング情報に含まれない場合は、自エリアの代表ノードから他エリアの代表ノードのＮＷアドレスを取得して発呼信号を送信する。そして、ネットワーク装置は、他エリアの代表ノードから、発呼信号に付された着信先の電話番号に対応するネットワーク装置のＮＷアドレス、または、別エリアの代表ノードのＮＷアドレスを取得する。着信先の電話番号に対応するネットワーク装置のＮＷアドレスを取得した場合、ネットワーク装置は、そのＮＷアドレスを用いて発呼信号を送信することにより呼接続を行う。一方、別エリアの代表ノードのＮＷアドレスを取得した場合、ネットワーク装置は、取得した別エリアの代表ノードに発呼信号を送信し、着信先の電話番号に対応するネットワーク装置のＮＷアドレスを取得するまで、さらに別エリアの代表ノードのＮＷアドレスを取得して発呼信号を送信する処理を繰り返す。
このようにすることで、災害発生時において、ネットワーク装置は、呼制御サーバを介さずに、着信先のＩＰ電話端末に接続されるネットワーク装置のＮＷアドレスを取得し、呼処理を行うことができる。
【発明の効果】
【００１３】
本発明によれば、災害発生時において、呼制御サーバへのアクセス増加による輻輳発生を抑制した上で、ＩＰ電話端末間の通話を可能にすることができる、通信制御システムおよびネットワーク装置を提供することができる。
【図面の簡単な説明】
【００１４】
【図１】本実施形態に係る通信制御システムの全体構成と、通常時における処理の概要を説明するための図である。
【図２】本実施形態に係る通信制御システムの全体構成と、災害発生時における処理の概要を説明するための図である。
【図３】本実施形態に係るネットワーク装置である宅内装置（ＨＧＷ）の構成例を示す機能ブロック図である。
【図４】本実施形態に係るルーティングテーブルを説明するための図である。
【図５】本実施形態に係る災害用ルーティング情報を説明するための図である。
【図６】本実施形態に係る災害フラグを説明するための図である。
【図７】本実施形態に係る宅内装置（ＨＧＷ）が行う処理の流れを示すフローチャートである。
【図８】本実施形態に係る宅内装置（ＨＧＷ）の災害時呼処理部が行うＮＷアドレス解決の流れを説明するための図である。
【図９】従来の通信制御システムにおける通常時の呼処理の流れを説明するための図である。
【図１０】従来の通信制御システムにおける災害発生時の輻輳を説明するための図である。
【発明を実施するための形態】
【００１５】
次に、本発明を実施するための形態（以下、「本実施形態」という）における通信制御システム等について説明する。
【００１６】
≪概要≫
まず、本実施形態に係るネットワーク装置である宅内装置（ＨＧＷ）１０を含む通信制御システム１００の概要について説明する。
図１および図２は、本実施形態に係る通信制御システム１００の全体構成と、処理の概要を説明するための図である。図１は、通信制御システム１００の全体構成と、大規模災害等が発生する前の通常時において、通信制御システム１００が行う処理を示す。また、図２は、大規模災害等が発生した後（災害発生時）において、通信制御システム１００が行う処理を示す。
＜システム構成＞
【００１７】
図１に示すように、本実施形態に係る通信制御システム１００は、ＩＰ電話端末２と接続される宅内装置（ＨＧＷ）１０と、エリア内の複数の宅内装置（ＨＧＷ）１０を収容する加入者サーバ３０と、中継サーバ４と、を含んで構成される。
図９に示した従来の通信制御システム６の構成と比較して、従来の宅内装置（ＨＧＷ）１が、本実施形態に係るネットワーク装置である宅内装置（ＨＧＷ）１０に置き換わっている。この宅内装置（ＨＧＷ）１０は、災害発生時に、他の宅内装置（ＨＧＷ）１０との間でPeer to Peerでの通信を実現する機能を備え、従来の宅内装置（ＨＧＷ）１が記憶するルーティングテーブル１１の情報を備えるルーティングテーブル１５０に加えて、災害用ルーティング情報１６０および災害フラグ１７０を記憶する。
【００１８】
この災害用ルーティング情報１６０には、自エリア内のＩＰ電話端末２の電話番号と宅内装置（ＨＧＷ）１０のＮＷアドレスとの対応関係を示す自エリア内ルーティングテーブル（自エリア内ルーティング情報）１６１と、隣接する少なくも１つの他エリア内のＩＰ電話端末２の電話番号と宅内装置（ＨＧＷ）１０のＮＷアドレスとの対応関係を示す他エリア内ルーティングテーブル（他エリア内ルーティング情報）１６２と、災害発生時における自エリア内の代表ノードである宅内装置（ＨＧＷ）１０のＮＷアドレスを示す自エリア代表ルーティングテーブル１６３と、災害発生時における隣接する少なくもと１つの他エリア内の代表ノードである宅内装置（ＨＧＷ）１０のＮＷアドレスを示す他エリア代表ルーティングテーブル１６４と、が格納される（詳細は後記する図５参照）。なお、図１に示すように、災害発生前の通常時において、自エリア代表ルーティングテーブル１６３および他エリア代表ルーティングテーブル１６４は、未選定であり情報が格納されていない。
【００１９】
災害フラグ１７０には、大規模災害等が発生したことを示す災害発生情報フラグ１７１（図６）として「ＯＮ／ＯＦＦ」が格納され、宅内装置（ＨＧＷ）１０自身がエリア代表ノードとして設定されたことを示す自エリア代表フラグ１７２（図６）として「ＯＮ／ＯＦＦ」が格納される。なお、図１に示すように、災害発生前の通常時において、災害発生情報フラグ１７１は「ＯＦＦ」であり、自エリア代表フラグ１７２も「ＯＦＦ」である。
【００２０】
加入者サーバ３０は、図１に示した従来の加入者サーバ３が備える機能に加えて、宅内装置（ＨＧＷ）１０からの要求等により、自エリア内ルーティングテーブル１６１の情報（電話番号に対応するＮＷアドレスの情報）を、最新の情報に更新するための情報を宅内装置（ＨＧＷ）１０に送信する機能を備える。
なお、中継サーバ４の機能は、図９に示した従来の中継サーバ４と同様である。
【００２１】
＜処理概要＞
次に、図１を参照して、大規模災害等が発生する前の通常時において、通信制御システム１００が行う処理の概要について説明する。
通常時、通信制御システム１００は、図９において説明した処理と同様の処理を行い、発信元のＩＰ電話端末２と接続された宅内装置（ＨＧＷ）１０からの発呼信号を、発信側の加入者サーバ３０、中継サーバ４、着信側の加入者サーバ３０を介して、着信先のＩＰ電話端末２と接続された宅内装置（ＨＧＷ）１０に送信することで、呼接続し通話を実現する。そして、本通信制御システム１００では、この通常時の呼接続処理に加えて、以下の処理を実行する。
【００２２】
宅内装置（ＨＧＷ）１０は、自身の記憶する自エリア内ルーティングテーブル１６１および他エリア内ルーティングテーブル１６２を所定の時間間隔で更新する処理を行う。
具体的には、宅内装置（ＨＧＷ）１０は、自エリアのルーティングテーブル３１を記憶する加入者サーバ３０（その宅内装置（ＨＧＷ）１０自身を収容する加入者サーバ３０）に対して、自エリア内ルーティングテーブル１６１の更新要求情報を送信し、応答情報を受信することにより、自エリア内ルーティングテーブル１６１を、最新の情報に更新する。また、宅内装置（ＨＧＷ）１０は、隣接する少なくも１つの他エリア内のＩＰ電話端末２の電話番号と宅内装置（ＨＧＷ）１０のＮＷアドレスとの対応関係を示す他エリア内ルーティングテーブル１６２を最新の情報に更新するため、他エリアのルーティングテーブル３１を記憶する加入者サーバ３０（その宅内装置（ＨＧＷ）１０自身を収容する加入者サーバ３０以外の加入者サーバ３０）に対して、他エリア内ルーティングテーブル１６２の更新要求情報を送信し、応答情報を受信することにより、他エリア内ルーティングテーブル１６２を更新する。
【００２３】
このように、本実施形態に係る通信制御システム１００の各宅内装置（ＨＧＷ）１０は、災害発生前の通常時において、自エリア内ルーティングテーブル１６１および他エリア内ルーティングテーブル１６２を、最新の情報に更新する処理を行う。
【００２４】
続いて、図２を参照して、大規模災害等が発生した後（災害発生時）における、通信制御システム１００の処理の概要を説明する。
【００２５】
まず、大規模災害等が発生すると、ＩＰ電話網５内に設置された災害情報通知装置（不図示）や災害情報を通知する機能を備えたアプリケーションサーバ（不図示）等から、各宅内装置（ＨＧＷ）１０に対し、大規模災害が発生したことを示す災害発生情報が送信される。災害発生情報を受信した宅内装置（ＨＧＷ）１０は、災害発生情報フラグ１７１を「ＯＮ」に切り替える（ステップＳ１）。そして、宅内装置（ＨＧＷ）１０は、所定の時間間隔毎に、自エリア代表フラグ１７２を参照し、自身が、自エリアの代表ノードであるか否かを確認する（ステップＳ２）。
【００２６】
宅内装置（ＨＧＷ）１０は、自身が代表ノードであると確認すると、自身が代表ノードである旨を示すエリア代表情報を自エリア内の他の宅内装置（ＨＧＷ）１０に配信する（ステップＳ３）。また、宅内装置（ＨＧＷ）１０は、他エリア内ルーティングテーブル１６２を参照し、他エリアの任意の宅内装置（ＨＧＷ）１０を選択し、選択した他エリアの宅内装置（ＨＧＷ）１０に対し、他エリア代表要求情報を送信することにより、他エリアの代表ノードのＮＷアドレスを取得する（ステップＳ４）。
【００２７】
そして、宅内装置（ＨＧＷ）１０は、自身に接続するＩＰ電話端末２から発呼信号を受け取ると、その発呼信号に付された着信先の電話番号が、自エリア内の電話番号であるか否かを、自エリア内ルーティングテーブル１６１を参照して検索し、自エリア内の電話番号であれば、そのＮＷアドレスを取得して、Peer to Peerで対応する宅内装置（ＨＧＷ）１０を介して、呼接続を行う。
【００２８】
一方、宅内装置（ＨＧＷ）１０は、着信先の電話番号が、自エリア内の電話番号でない場合は、自エリア代表ルーティングテーブル１６３を参照して、自エリアの代表ノードのＮＷアドレスを取得して、発呼信号を送信する。
【００２９】
発呼信号を受信した代表ノードの宅内装置（ＨＧＷ）１０は、他エリア代表ルーティングテーブル１６４を参照して、他エリアの代表ノードのＮＷアドレスを、発呼信号を送信してきた宅内装置（ＨＧＷ）１０に返信する（ステップＳ５：アドレス解決（１回目））。
そして、他エリアの代表ノードのＮＷアドレスを受信した宅内装置（ＨＧＷ）１０は、その他エリアの代表ノードの宅内装置（ＨＧＷ）１０に向けて発呼信号を送信する。
【００３０】
他エリアの代表ノードの宅内装置（ＨＧＷ）１０は、自身のエリアの自エリア内ルーティングテーブル１６１を参照して、着信先となる電話番号に対応する宅内装置（ＨＧＷ）１０のＮＷアドレスを取得して返信する（ステップＳ６：アドレス解決（２回目））。
【００３１】
他エリアの代表ノードから、着信先の電話番号に対応する宅内装置（ＨＧＷ）１０のＮＷアドレスを受信した宅内装置１０は、そのＮＷアドレスを用いて、Peer to Peerで呼接続を行う（ステップＳ７）。なお、図２において、Peer to Peerを「Ｐ２Ｐ」と略している。
【００３２】
なお、図２においては、エリア代表ノードは各エリア１つとして説明しているが、大規模災害後に接続可能な複数の宅内装置（ＨＧＷ）１０が、代表ノードとして設定される。
また、図２では、ステップＳ６において、他エリア（エリア＃２）の代表ノードから着信先の電話番号に対応する宅内装置（ＨＧＷ）１０のＮＷアドレスを取得できた例を説明したが、エリア＃２の自エリア内ルーティングテーブル１６１において、着信先の電話番号が登録されていない場合は、エリア＃２の代表ノード（ＮＷアドレス「ｄ」の宅内装置（ＨＧＷ）１０）は、自身の他エリア代表ルーティングテーブル１６４を参照して、別のエリア（例えば、エリア＃３）の代表ノードのＮＷアドレスを、他エリア代表ルーティングテーブル１６４を参照して取得し、発呼信号を送信してきた宅内装置（ＨＧＷ）１０に返信する。そして、別のエリア（エリア＃３）の代表ノードのＮＷアドレスを受信した宅内装置（ＨＧＷ）１０は、別のエリア（エリア＃３）の代表ノードの宅内装置（ＨＧＷ）１０に向けて発呼信号を送信することにより、着信先の電話番号のアドレス解決の処理を繰り返す。最終的に、発信元の宅内装置（ＨＧＷ）１０は、着信先の電話番号に対応する宅内装置（ＨＧＷ）１０のＮＷアドレスを格納したエリアの代表ノードから、そのＮＷアドレスを受信し、発呼信号を送信することにより、発信元の宅内装置（ＨＧＷ）１０と、着信先の宅内装置（ＨＧＷ）１０との間で、Peer to Peerでの呼接続を実現する。
【００３３】
このようにすることにより、災害発生時において、加入者サーバ３０等を経由することなく、発信元のＩＰ電話端末２に接続される宅内装置（ＨＧＷ）１０と、着信先のＩＰ電話端末２に接続される宅内装置（ＨＧＷ）１０との間で、Peer to Peerで呼接続を行うことができる。
【００３４】
≪各装置の構成≫
次に、本実施形態に係る通信制御システム１００を構成する各装置の具体的な構成について説明する。
【００３５】
＜宅内装置（ＨＧＷ）＞
図３は、本実施形態に係るネットワーク装置である宅内装置（ＨＧＷ）１０の構成例を示す機能ブロック図である。
図１および図２で示したように、宅内装置（ＨＧＷ）１０は、ＩＰ電話端末２および自身を収容する加入者サーバ３０と接続されており、災害発生時においては、呼制御サーバ（加入者サーバ３０や中継サーバ４等）を介さずに、他の宅内装置（ＨＧＷ）１０との間で、Peer to Peerでの呼接続を行う。
この宅内装置（ＨＧＷ）１０は、通信部１１０と、制御部１２０と、記憶部１４０とを備える。
【００３６】
通信部１１０は、ＩＰ電話端末２との間で情報の送受信を行うための通信インタフェースであるＩＰ電話接続用ＩＦ（interface）１１２と、ＩＰ電話網５側の加入者サーバ３０や他の宅内装置（ＨＧＷ）１０等との間で情報の送受信を行うための通信インタフェースであるＮＷ接続用ＩＦ１１１とから構成される。
【００３７】
制御部１２０は、通常時における呼処理および災害発生時における呼処理全般の制御を司り、大きく分けて、通常時において処理を実行する、呼接続制御部１２１、災害用ルーティング情報更新部１２２、災害発生情報受信部１２３および処理切替部１２４と、災害発生時において処理を実行する、エリア代表決定通知受信部１２５、エリア代表情報配信部１２６、エリア代表情報受信部１２７、他エリア代表情報取得部１２８、自エリア代表情報通知部１２９および災害時呼処理部１３０とを備える。
【００３８】
呼接続制御部１２１は、通常時において、ＩＰ電話端末２から通信部１１０を介して、発呼信号を受信すると、ルーティングテーブル１５０を参照し、自身を収容する加入者サーバ３０のＮＷアドレスを取得して、その発呼信号を送信する等の呼接続処理を行う。
【００３９】
災害用ルーティング情報更新部１２２は、通常時において、自身の記憶部１４０に記憶する災害用ルーティング情報１６０についての更新情報を取得し、災害用ルーティング情報１６０を更新する。
具体的には、災害用ルーティング情報更新部１２２は、災害用ルーティング情報１６０内の自エリア内ルーティングテーブル１６１について、自身を収容する加入者サーバ３０に更新情報要求を送信し、応答情報を受信することにより、自エリア内ルーティングテーブル１６１を書き換える。また、災害用ルーティング情報更新部１２２は、災害用ルーティング情報１６０内の他エリア内ルーティングテーブル１６２について、少なくとも１つ設定された自身を収容する加入者サーバ３０以外の隣接する他の加入者サーバ３０に更新情報要求を送信し、応答情報を受信することにより、他エリア内ルーティングテーブル１６２を書き換える。
【００４０】
災害発生情報受信部１２３は、通常時において大規模災害等が発生した場合に、ＩＰ電話網５内に設置された災害情報通知装置（不図示）や災害情報を通知する機能を備えたアプリケーションサーバ（不図示）等から、大規模災害等が発生したことを示す災害発生情報を受信する。そして、災害発生情報受信部１２３は、災害フラグ１７０の災害発生情報フラグ１７１を「ＯＮ」に設定する。
【００４１】
処理切替部１２４は、災害発生情報フラグ１７１が「ＯＮ」に設定され、さらに、自エリアの代表ノードのＮＷアドレスが付されたエリア代表情報や、他エリアの代表ノードのＮＷアドレスが付された他エリア代表情報を取得したこと等を契機として、自身と接続するＩＰ電話端末２に関する呼処理を、通常時に実行する呼接続制御部１２１の処理から、災害発生時に実行する災害時呼処理部１３０の処理に切り換える（詳細は、図７参照）。
【００４２】
エリア代表決定通知受信部１２５は、災害発生時において、災害情報通知装置（不図示）や災害情報を通知する機能を備えたアプリケーションサーバ（不図示）等から、自身が自エリアの代表ノードと決定された旨の通知であるエリア代表決定通知を受信する。また、エリア代表決定通知受信部１２５は、エリア代表決定通知を受信すると、災害フラグ１７０内の自エリア代表フラグ１７２を「ＯＮ」に設定する。
【００４３】
エリア代表情報配信部１２６は、自エリア代表フラグ１７２が「ＯＮ」に設定されたことを契機として、宅内装置（ＨＧＷ）１０自身が、そのエリアの代表ノードであることを示すエリア代表情報を、自エリア内ルーティングテーブル１６１を参照し、自エリア内の各宅内装置（ＨＧＷ）１０に配信する。なお、このエリア代表情報には、代表ノードとなった宅内装置（ＨＧＷ）１０のＮＷアドレスが付される。
【００４４】
エリア代表情報受信部１２７は、自エリアの他の宅内装置（ＨＧＷ）１０から、エリア代表情報を受信し、そのエリア代表情報に付されたＮＷアドレスを、自エリア代表ルーティングテーブル１６３に格納する。
【００４５】
他エリア代表情報取得部１２８は、自エリア代表フラグ１７２が「ＯＮ」に設定されたことを契機として、他エリア内ルーティングテーブル１６２を参照し、他エリア内の任意の宅内装置（ＨＧＷ）１０のＮＷアドレスを取得し、他エリア代表要求情報を送信する。そして、他エリア代表情報取得部１２８は、送信先の他エリアの宅内装置（ＨＧＷ）１０の自エリア代表情報通知部１２９の処理により、そのエリアの代表ノードのＮＷアドレスが付された他エリア代表情報を受信し、他エリア代表ルーティングテーブル１６４に格納する。
【００４６】
自エリア代表情報通知部１２９は、宅内装置（ＨＧＷ）１０自身が他エリアの宅内装置（ＨＧＷ）１０に該当するとき、自身以外の他のエリアの宅内装置（ＨＧＷ）１０から、他エリア代表要求情報を受信した場合に、自エリア代表ルーティングテーブル１６３を参照し、自エリアの代表ノードのＮＷアドレスを付した他エリア代表情報を、送信元のエリアの宅内装置（ＨＧＷ）１０に通知する。
【００４７】
災害時呼処理部１３０は、災害発生時に、呼制御サーバ（加入者サーバ３０や中継サーバ４等）を介さず、他の宅内装置（ＨＧＷ）１０との間で、Peer to Peerでの呼処理を実現する。
具体的には、災害時呼処理部１３０は、災害発生時において、ＩＰ電話端末２から発呼信号を受信すると、まず、災害用ルーティング情報１６０内の自エリア内ルーティングテーブル１６１を参照し、その発呼信号に付された着信先の電話番号が、自エリア内ルーティングテーブル１６１に登録されているか否かを判定する。
そして、災害時呼処理部１３０は、着信先の電話番号が、自エリア内ルーティングテーブル１６１に登録されていると判定した場合には、その着信先の電話番号に対応するＮＷアドレスを取得して、呼処理を行う。
【００４８】
一方、災害時呼処理部１３０は、災害発生時において、自エリア内ルーティングテーブル１６１を参照し、その発呼信号に付された着信先の電話番号が、自エリア内ルーティングテーブル１６１に登録されていない場合、他エリア代表ルーティングテーブル１６４を参照し、他エリアの代表ノードのＮＷアドレスを取得し、発呼信号を送信する。
【００４９】
災害時呼処理部１３０は、他エリアの代表ノードから、着信先の電話番号に対応するＮＷアドレスを取得した場合は、そのＮＷアドレスに対し、発呼信号を送信し、呼接続処理を行う。
また、災害時呼処理部１３０は、他エリアの代表ノードから、さらに別のエリアの代表ノードのＮＷアドレスを受信した場合には、その代表ノードのＮＷアドレスに対し発呼信号を送信する。そして、災害時呼処理部１３０は、着信先となる電話番号に対応する宅内装置１０のＮＷアドレスが取得できるまで、さらに別のエリアの代表ノードへの問い合わせを繰り返す。
【００５０】
また、災害時呼処理部１３０は、他エリアの宅内装置（ＨＧＷ）１０から、発呼信号を受信した場合に、自エリア内ルーティングテーブル１６１を参照し、その発呼信号に付された着信先の電話番号が、自エリア内に登録されているか否かを判定する。そして、災害時呼処理部１３０は、登録されている場合には、その電話番号に対応するＮＷアドレスを、送信元となる宅内装置（ＨＧＷ）１０に返信する。一方、災害時呼処理部１３０は、着信先電話番号が登録されていない場合には、他エリア代表ルーティングテーブル１６４を参照し、さらに別のエリアの代表ノードのＮＷアドレスを、送信元となる宅内装置（ＨＧＷ）１０に送信する。
【００５１】
記憶部１４０は、ＲＡＭ（Random Access Memory）や、ＨＤＤ（Hard Dick Drive）、フラッシュメモリ等の記憶媒体から構成される。そして、この記憶部１４０には、ルーティングテーブル１５０、災害用ルーティング情報１６０、災害フラグ１７０が記憶される。
【００５２】
図４は、本実施形態に係るルーティングテーブル１５０を説明するための図である。
図４に示すように、宅内装置（ＨＧＷ）１０のルーティングテーブル１５０には、自身を収容する加入者サーバ３０のＮＷアドレス（例えば、ＮＷアドレス「Ｎ１」）が格納される。また、このルーティングテーブル１５０には、自エリア以外の他エリアの宅内装置（ＨＧＷ）１０を収容する少なくとも１つの加入者サーバ３０のＮＷアドレス（例えば、ＮＷアドレス「Ｎ２」）が格納される。この他エリアの加入者サーバ３０は、災害用ルーティング情報更新部１２２が、他エリア内ルーティングテーブル１６２を更新する際に参照される。
【００５３】
図５は、本実施形態に係る災害用ルーティング情報１６０を説明するための図である。
図５に示すように、災害用ルーティング情報１６０には、自エリア内ルーティングテーブル１６１と、他エリア内ルーティングテーブル１６２と、自エリア代表ルーティングテーブル１６３と、他エリア代表ルーティングテーブル１６４とが備えられる。
【００５４】
自エリア内ルーティングテーブル（自エリア内ルーティング情報）１６１には、自エリア内の電話番号と宅内装置（ＨＧＷ）１０のＮＷアドレスとの対応関係を示す情報が格納される。なお、この自エリア内ルーティングテーブル１６１は、災害用ルーティング情報更新部１２２により、所定の時間間隔で最新の情報に更新される。
【００５５】
他エリア内ルーティングテーブル（他エリア内ルーティング情報）１６２には、隣接する少なくも１つの他エリア内の電話番号と宅内装置（ＨＧＷ）１０のＮＷアドレスとの対応関係を示す情報が格納される。この他エリア内ルーティングテーブル１６２は、宅内装置（ＨＧＷ）１０が、代表ノードである場合に、他エリアの代表ノードのＮＷアドレスの取得先となる、他エリア内の任意の宅内装置（ＨＧＷ）１０を選択するために用いられる。また、この他エリア内ルーティングテーブル１６２は、災害用ルーティング情報更新部１２２により、所定の時間間隔で最新の情報に更新される。
【００５６】
自エリア代表ルーティングテーブル１６３には、エリア代表情報受信部１２７により、災害発生時における自エリア内の代表ノードとなる宅内装置（ＨＧＷ）１０のＮＷアドレスが格納される。代表ノードが複数選定された場合は、この自エリア代表ルーティングテーブル１６３に、複数の代表ノードのＮＷアドレスが格納される。
【００５７】
他エリア代表ルーティングテーブル１６４には、他エリア代表情報取得部１２８により、災害発生時における隣接する少なくもと１つの他エリア内の代表ノードとなる宅内装置（ＨＧＷ）１０のＮＷアドレスが格納される。他エリアにおいて、複数の代表ノードが選定されている場合には、この他エリア代表ルーティングテーブル１６４に、複数の代表ノードのＮＷアドレスが格納される。
【００５８】
図６は、本実施形態に係る災害フラグ１７０を説明するための図である。
図６に示すように、災害フラグ１７０には、災害発生情報フラグ１７１として「ＯＮ／ＯＦＦ」が格納され、自エリア代表フラグ１７２として「ＯＮ／ＯＦＦ」が格納される。
【００５９】
災害発生情報フラグ１７１は、大規模災害等が発生した場合に、災害発生情報受信部１２３が、ＩＰ電話網５内に設置された災害情報通知装置（不図示）や災害情報を通知する機能を備えたアプリケーションサーバ（不図示）等から、災害発生情報を受信することにより、「ＯＦＦ」から「ＯＮ」に変更される。
【００６０】
自エリア代表フラグ１７２は、エリア代表決定通知受信部１２５が、災害情報通知装置（不図示）や災害情報を通知する機能を備えたアプリケーションサーバ（不図示）等から、エリア代表決定通知を受信することにより、「ＯＦＦ」から「ＯＮ」に変更される。
ここで、災害情報通知装置やアプリケーションサーバによるエリア代表ノードの決定は、例えば、災害情報通知装置やアプリケーションサーバが、送信した災害発生情報に対する応答情報を、より早く送信してきた順に所定数決定してもよいし、応答情報を送信してきた宅内装置（ＨＧＷ）１０、つまり、正常に稼動している宅内装置（ＨＧＷ）１０の中から、ランダムに所定数決定してもよい。そして、災害情報通知装置やアプリケーションサーバが、そのエリアの代表ノードに決定した宅内装置（ＨＧＷ）１０に対し、エリア代表決定通知を送信する。
【００６１】
なお、この宅内装置（ＨＧＷ）１０をプログラム実行処理により実現する場合、記憶部１４０には、宅内装置（ＨＧＷ）１０の制御部１２０の機能を実現するためのプログラムが格納される。そして、制御部１２０は、記憶部１４０に記憶されたプログラムを、不図示のＣＰＵ（Central Processing Unit）が、ＲＡＭ等に展開し実行することで実現される。
【００６２】
＜加入者サーバ＞
図１および図２に示すように、加入者サーバ３０は、宅内装置（ＨＧＷ）１０を介して、ＩＰ電話端末２と接続される。加入者サーバ３０は、通常時において、宅内装置（ＨＧＷ）１０を介して、ＩＰ電話端末２からの発呼信号を受け付け、中継サーバ４を介して着信先の加入者サーバ３０と接続し、その加入者サーバ３０が収容する着信先のＩＰ電話端末２に接続する宅内装置（ＨＧＷ）１０との間での呼制御を行う。また、加入者サーバ３０は、ルーティングテーブル３１を備える。このルーティングテーブル３１には、自身が収容するＩＰ電話端末２と宅内装置（ＨＧＷ）１０のＮＷアドレスとの対応関係を示す情報と、自エリア以外の電話番号についての発呼信号の送信先となる中継サーバ４のＮＷアドレスを示す情報とが記憶される。
また、加入者サーバ３０は、宅内装置（ＨＧＷ）１０から、自エリア内ルーティングテーブル１６１や他エリア内ルーティングテーブル１６２を更新するための更新情報要求を受信すると、自身のルーティングテーブル３１を参照して、自身が収容するＩＰ電話端末２の電話番号と宅内装置（ＨＧＷ）１０のＮＷアドレスとの関係を示す情報の更新情報を、応答情報として送信する。
【００６３】
≪処理の流れ≫
次に、本実施形態に係る通信制御システム１００の処理の流れについて説明する。
【００６４】
＜宅内装置（ＨＧＷ）の処理＞
まず、本実施形態に係るネットワーク装置である宅内装置（ＨＧＷ）１０の処理について説明する。
図７は、本実施形態に係る宅内装置（ＨＧＷ）１０が行う処理の流れを示すフローチャートである。
【００６５】
まず、宅内装置（ＨＧＷ）１０の災害用ルーティング情報更新部１２２は、自身の記憶部１４０に記憶する災害用ルーティング情報１６０についての更新情報を取得し、災害用ルーティング情報１６０を更新する（ステップＳ１０１）。
具体的には、災害用ルーティング情報更新部１２２は、自身を収容する加入者サーバ３０に更新情報要求を送信し、応答情報を受信することにより、自エリア内ルーティングテーブル１６１を書き換える。また、災害用ルーティング情報更新部１２２は、少なくとも１つ設定された他の加入者サーバ３０に更新情報要求を送信し、応答情報を受信することにより、他エリア内ルーティングテーブル１６２を書き換える。
【００６６】
次に、宅内装置（ＨＧＷ）１０の災害発生情報受信部１２３は、所定の時間間隔で、災害情報通知装置（不図示）や災害情報を通知する機能を備えたアプリケーションサーバ（不図示）等から、大規模災害等が発生したことを示す災害発生情報を受信したか否かを判定する（ステップＳ１０２）。そして、災害発生情報受信部１２３は、災害発生情報を受信した場合には（ステップＳ１０２→Ｙｅｓ）、災害発生情報フラグ１７１を「ＯＮ」に設定する。一方、災害発生情報を受信していない場合には（ステップＳ１０２→Ｎｏ）、災害発生情報フラグ１７１を「ＯＦＦ」にしたまま、受信するまで待つ。
【００６７】
続いて、宅内装置（ＨＧＷ）１０のエリア代表決定通知受信部１２５は、災害情報通知装置（不図示）や災害情報を通知する機能を備えたアプリケーションサーバ（不図示）等から、自エリアの代表ノードになることの指示情報であるエリア代表決定通知を受信すること等により、自エリア代表フラグ１７２を「ＯＮ」に設定したか否かを判定する（ステップＳ１０３）。ここで、自エリア代表フラグ１７２が「ＯＮ」に設定された場合は（ステップＳ１０３→Ｙｅｓ）、ステップＳ１０４に進み、自エリア代表フラグ１７２が「ＯＦＦ」のままの場合は（ステップＳ１０３→Ｎｏ）、ステップＳ１０６に進む。
【００６８】
自エリア代表フラグ１７２が「ＯＮ」に設定された場合（ステップＳ１０３→Ｙｅｓ）、宅内装置（ＨＧＷ）１０のエリア代表情報配信部１２６は、宅内装置（ＨＧＷ）１０自身が、そのエリアの代表ノードであることを示すエリア代表情報を自エリア内の各宅内装置（ＨＧＷ）１０に配信する（ステップＳ１０４）。なお、このエリア代表情報には、代表ノードとなった宅内装置（ＨＧＷ）１０のＮＷアドレスが付される。
【００６９】
また、宅内装置（ＨＧＷ）１０の他エリア代表情報取得部１２８は、他エリア代表情報の取得処理を行う（ステップＳ１０５）。
具体的には、他エリア代表情報取得部１２８は、他エリア内ルーティングテーブル１６２を参照し、他エリア内の任意の宅内装置（ＨＧＷ）１０のＮＷアドレスを取得し、他エリア代表要求情報を送信する。そして、他エリア代表情報取得部１２８は、送信先の他エリアの宅内装置（ＨＧＷ）１０の自エリア代表情報通知部１２９の処理により、他エリアの代表ノードのＮＷアドレスが付された他エリア代表情報を受信し、そのＮＷアドレスを他エリア代表ルーティングテーブル１６４に格納する。
【００７０】
一方、ステップＳ１０３において、自エリア代表フラグ１７２が「ＯＦＦ」のままの場合は（ステップＳ１０３→Ｎｏ）、宅内装置（ＨＧＷ）１０のエリア代表情報受信部１２７が、代表ノードとなった自エリア内の宅内装置（ＨＧＷ）１０から、エリア代表情報を受信し（ステップＳ１０６）、そのエリア代表情報に付されたＮＷアドレスを、自エリア代表ルーティングテーブル１６３に格納する。
【００７１】
続いて、ステップＳ１０５、ステップＳ１０６の処理を終えると、宅内装置（ＨＧＷ）１０の処理切替部１２４は、呼接続に関する処理を、通常時に実行する呼接続制御部１２１から災害発生時に実行する災害時呼処理部１３０に切り替える（ステップＳ１０７）。そして、宅内装置（ＨＧＷ）１０の災害時呼処理部１３０の処理により、加入者サーバ３０等を介さず、他の宅内装置（ＨＧＷ）１０との間で、Peer to Peerでの呼処理を実現する。
【００７２】
＜宅内装置（ＨＧＷ）の災害時呼処理部によるＮＷアドレス解決の流れ＞
次に、宅内装置（ＨＧＷ）１０の災害時呼処理部１３０が行うＮＷアドレス解決の流れについて説明する。
図８は、本実施形態に係る宅内装置（ＨＧＷ）１０の災害時呼処理部１３０が行うＮＷアドレス解決の流れを説明するための図である。
ここでは、（１）エリア＃１に属する電話番号「Ａ」のＩＰ電話端末２から、同じエリア＃１に属する電話番号「Ｃ」のＩＰ電話端末２へ向けて発呼信号が送信された場合と、（２）エリア＃１に属する電話番号「Ａ」のＩＰ電話端末２から、エリア＃３に属する電話番号「Ｉ」のＩＰ電話端末２へ向けて発呼信号が送信された場合とについて説明する。
また、エリア＃１の代表ノードは、ＮＷアドレス「ｂ」の宅内装置（ＨＧＷ）１０であり、他エリア代表ルーティングテーブル１６４には、エリア＃２の代表の宅内装置（ＨＧＷ）１０のＮＷアドレス「ｄ」が格納されている。エリア＃２の代表ノードであるＮＷアドレス「ｄ」の宅内装置（ＨＧＷ）１０の他エリア代表ルーティングテーブル１６４には、エリア＃３の代表ノードである宅内装置（ＨＧＷ）１０のＮＷアドレス「ｇ」が格納されているものとする。
【００７３】
まず、電話番号「Ａ」のＩＰ電話端末２から、着信先として電話番号「Ｃ」が付された発呼信号を、ＮＷアドレス「ａ」の宅内装置（ＨＧＷ）１０が受信した場合、宅内装置（ＨＧＷ）１０の災害時呼処理部１３０は、自エリア内ルーティングテーブル１６１を参照し、発呼信号に付された電話番号「Ｃ」が、自エリア内の電話番号であるか否かを検索する（ステップＳ１０）。ここで、電話番号「Ｃ」は、自エリア内の電話番号として登録されているので、対応する宅内装置（ＨＧＷ）１０のＮＷアドレス「ｃ」を取得し、Peer to Peerで呼接続を行い（ステップＳ１１）、通話を実現する。
【００７４】
次に、電話番号「Ａ」のＩＰ電話端末２から、着信先として電話番号「Ｉ」が付された発呼信号を、ＮＷアドレス「ａ」の宅内装置（ＨＧＷ）１０が受信した場合、宅内装置（ＨＧＷ）１０の災害時呼処理部１３０は、まず、自エリア内ルーティングテーブル１６１を参照し、発呼信号に付された電話番号「Ｉ」が、自エリア内の電話番号であるか否かを検索する（ステップＳ２０）。ここで、災害時呼処理部１３０は、電話番号「Ｉ」が、自エリア内ルーティングテーブル１６１に登録されていないことから、自エリア以外の電話番号であると判定する。そして、災害時呼処理部１３０は、自エリア代表ルーティングテーブル１６３を参照し、エリア＃１の代表ノードである宅内装置（ＨＧＷ）１０のＮＷアドレス「ｂ」を取得し、電話番号「Ｉ」が付された発呼信号を、エリア＃１の代表ノード（ＮＷアドレス「ｂ」の宅内装置（ＨＧＷ）１０）に送信する（ステップＳ２１）。
【００７５】
発呼信号を受信した代表ノードの宅内装置（ＨＧＷ）１０は、他エリア代表ルーティングテーブル１６４を参照して、他エリア（エリア＃２）の代表ノードのＮＷアドレス「ｄ」を、発呼信号を送信してきた宅内装置（ＨＧＷ）１０に返信する（ステップＳ２２）。
【００７６】
そして、他エリアの代表ノードのＮＷアドレス「ｄ」を受信した宅内装置（ＨＧＷ）１０は、その他エリアの代表ノードの宅内装置（ＨＧＷ）１０に向けて、電話番号「Ｉ」が付された発呼信号を送信する。
【００７７】
エリア＃２の代表ノード（ＮＷアドレス「ｄ」の宅内装置（ＨＧＷ）１０）は、発呼信号に付された電話番号「Ｉ」を用いて、自エリア内ルーティングテーブル１６１を参照し、電話番号「Ｉ」が、自エリア内の電話番号であるか否かを検索する（ステップＳ２３）。ここで、エリア＃２の代表ノードの災害時呼処理部１３０は、電話番号「Ｉ」が、自エリア内ルーティングテーブル１６１に登録されていないことから、自エリア以外の電話番号であると判定する。そして、エリア＃２の代表ノードの災害時呼処理部１３０は、他エリア代表ルーティングテーブル１６４を参照し、エリア＃３の代表ノードである宅内装置（ＨＧＷ）１０のＮＷアドレス「ｇ」を、発信元であるＮＷアドレス「ａ」の宅内装置（ＨＧＷ）１０に返信する（ステップＳ２４）。
【００７８】
エリア＃２の代表ノードからＮＷアドレス「ｇ」の情報を取得したＮＷアドレス「ａ」の宅内装置（ＨＧＷ）１０は、エリア＃３の代表ノードであるＮＷアドレス「ｇ」の宅内装置（ＨＧＷ）１０に向けて、電話番号「Ｉ」が付された発呼信号を送信する。
【００７９】
エリア＃３の代表ノード（ＮＷアドレス「ｇ」の宅内装置（ＨＧＷ）１０）は、発呼信号に付された電話番号「Ｉ」を用いて、自エリア内ルーティングテーブル１６１を参照し、電話番号「Ｉ」が、自エリア内の電話番号であるか否かを検索する（ステップＳ２５）。ここで、電話番号「Ｉ」は、自エリア（エリア＃３）内の電話番号として登録されているので、対応する宅内装置（ＨＧＷ）１０のＮＷアドレス「ｉ」を取得し、ＮＷアドレス「ｉ」の情報を付した発呼信号を、発信元であるＮＷアドレス「ａ」の宅内装置（ＨＧＷ）１０に返信する（ステップＳ２６）。
【００８０】
エリア＃３の代表ノードからＮＷアドレス「ｉ」の情報を取得したＮＷアドレス「ａ」の宅内装置（ＨＧＷ）１０は、ＮＷアドレス「ｉ」の宅内装置（ＨＧＷ）１０との間で、Peer to Peerで呼接続を行い（ステップＳ２７）、通話を実現する。
【００８１】
このようにすることで、本実施形態に係る、通信制御システム１００およびネットワーク装置（宅内装置（ＨＧＷ）１０）によれば、災害発生時において、呼制御サーバ（加入者サーバ３や中継サーバ４等）へのアクセス増加による輻輳発生を抑制した上で、ＩＰ電話端末２間の通話を可能にすることができる。
【００８２】
なお、本実施形態に係る、通信制御システム１００およびネットワーク装置（宅内装置（ＨＧＷ）１０）は、以下に示すような変更を行っても、同様の作用効果を奏するものである。
【００８３】
本実施形態においては、通常時に、宅内装置（ＨＧＷ）１０の災害用ルーティング情報更新部１２２が、加入者サーバ３０に更新情報要求を送信し、その応答情報を受信することにより、自エリア内ルーティングテーブル１６１および他エリア内ルーティングテーブル１６２を更新するものとした。しかし、本発明は、これに限定されず、加入者サーバ３０側から、ルーティングテーブル３１の更新情報を、宅内装置（ＨＧＷ）１０に配信し、配信された更新情報に基づき、宅内装置（ＨＧＷ）１０の災害用ルーティング情報更新部１２２が、自エリア内ルーティングテーブル１６１および他エリア内ルーティングテーブル１６２を更新するようにしてもよい。
【００８４】
本実施形態においては、大規模災害等が発生した場合に、宅内装置（ＨＧＷ）１０の災害発生情報受信部１２３が、ＩＰ電話網５内に設置された災害情報通知装置（不図示）や災害情報を通知する機能を備えたアプリケーションサーバ（不図示）等から、大規模災害等が発生したことを示す災害発生情報を受信し、災害発生情報フラグ１７１を「ＯＮ」にするものとした。しかし、本発明は、これに限定されず、宅内装置（ＨＧＷ）１０の災害発生情報受信部１２３が、所定の時間間隔で、災害情報通知装置やアプリケーションサーバに、大規模災害の発生の有無を問い合わせ、その結果に基づき、災害発生情報フラグ１７１を「ＯＮ」にするようにしてもよい。
【００８５】
本実施形態においては、大規模災害等が発生した場合に、宅内装置（ＨＧＷ）１０自身が代表ノードになるか否かについて、災害情報通知装置（不図示）や災害情報を通知する機能を備えたアプリケーションサーバ（不図示）等から、エリア代表決定通知を受信し、自エリア代表フラグ１７２を「ＯＮ」に設定することにより、そのエリアの代表ノードになるものとした。しかし、本発明は、これに限定されず、例えば、災害情報通知装置やアプリケーションサーバから災害発生情報を受信した場合に、その時点で、自エリア内の他の宅内装置（ＨＧＷ）１０からエリア代表情報を受信していない場合、自発的に、自エリア代表フラグ１７２を「ＯＮ」にし、代表ノードになるようにしてもよい。あるいは、所定数のエリア代表情報を受信するまでは、自発的に、自エリア代表フラグ１７２を「ＯＮ」にするようにしてもよい。
また、予めそのエリアの代表ノードとなる宅内装置（ＨＧＷ）１０を決定しておき、災害情報通知装置やアプリケーションサーバから災害発生情報を受信した場合に、代表ノードとなるようにしてもよい。その場合、代表ノードとなる宅内装置（ＨＧＷ）１０に優先順位を付け、災害発生情報の応答情報等により、稼動が確認できた中から優先順に代表ノードとしてもよい。
【符号の説明】
【００８６】
２      ＩＰ電話端末
４      中継サーバ
５      ＩＰ電話網
１０    宅内装置（ＨＧＷ）
３０    加入者サーバ
１００  通信制御システム
１１０  通信部
１１１  ＮＷ接続用ＩＦ
１１２  ＩＰ電話接続用ＩＦ
１２０  制御部
１２１  呼接続制御部
１２２  災害用ルーティング情報更新部
１２３  災害発生情報受信部
１２４  処理切替部
１２５  エリア代表決定通知受信部
１２６  エリア代表情報配信部
１２７  エリア代表情報受信部
１２８  他エリア代表情報取得部
１２９  自エリア代表情報通知部
１３０  災害時呼処理部
１４０  記憶部
１５０  ルーティングテーブル
１６０  災害用ルーティング情報
１６１  自エリア内ルーティングテーブル（自エリア内ルーティング情報）
１６２  他エリア内ルーティングテーブル（他エリア内ルーティング情報）
１６３  自エリア代表ルーティングテーブル
１６４  他エリア代表ルーティングテーブル
１７０  災害フラグ
１７１  災害発生情報フラグ
１７２  自エリア代表フラグ
【図１】
2013219573.tif 000003
【図２】
2013219573.tif 000004
【図３】
2013219573.tif 000005
【図４】
2013219573.tif 000006
【図５】
2013219573.tif 000007
【図６】
2013219573.tif 000008
【図７】
2013219573.tif 000009
【図８】
2013219573.tif 000010
【図９】
2013219573.tif 000011
【図１０】
2013219573.tif 000012